(57)【要約】      （修正有）【課題】設定項目の入力に要する入力動作の簡略化を実現すると共に、操作メニュー画面のレイアウトの自由度を確保する入力装置及び入力方法を提供する。【解決手段】表示ディスプレイ２と、タッチディスプレイ３と、コピー倍率設定画面への第１のタッチ入力の入力位置及び倍率設定画面への第２のタッチ入力の入力位置を夫々検出する入力検出部４１、倍率表示部に第１のタッチ入力が継続していることを判定する入力継続状態判定部４２、倍率表示部に第１のタッチ入力が継続している場合には倍率入力画面を表示し、倍率表示部への第１のタッチ入力が中断した場合には倍率入力画面を非表示にする表示管理部４３、倍率表示部への第１のタッチ入力が中断することにより、テンキーへの第２のタッチ入力に応じた入力情報を倍率表示部の設定情報に反映する入力管理部４４を有する制御手段４とを備えた。【選択図】図１
2018008519.tif 000002
【特許請求の範囲】
【請求項１】
第１、第２の操作メニュー画面を表示する表示手段と、前記第１、第２の操作メニュー画面に対するタッチ入力を複数同時に検出可能な入力手段と、前記タッチ入力に応じて前記第１、第２の操作メニュー画面の操作を実行する制御手段とを備えた入力装置であって、
前記制御手段は、
前記第１の操作メニュー画面に対する第１のタッチ入力の入力位置及び前記第２の操作メニュー画面に対する第２のタッチ入力の入力位置を夫々検出する入力検出部と、
前記第１の操作メニュー画面に表示された設定項目に前記第１のタッチ入力が継続していることを判定する入力継続状態判定部と、
前記設定項目に対する前記第１のタッチ入力が継続している場合には、前記第２の操作メニュー画面を表示し、前記設定項目に対する前記第１のタッチ入力が中断した場合には、前記第２の操作メニュー画面を非表示にする表示管理部と、
前記設定項目に対する前記第１のタッチ入力が中断することにより、前記第２の操作メニュー画面に対する前記第２のタッチ入力に応じた入力情報を前記設定項目の設定情報に反映する入力管理部と、
を備えていることを特徴とする入力装置。
【請求項２】
前記表示管理部は、前記設定項目に重ならずに前記第２の操作メニュー画面を表示することを特徴とする請求項１記載の入力装置。
【請求項３】
前記表示管理部は、前記設定項目の利き手側に前記第２の操作メニュー画面を表示することを特徴とする請求項２記載の入力装置。
【請求項４】
前記第２の操作メニュー画面が、テンキーであり、
前記入力管理部が、前記テンキーが押下されることにより入力された数値を前記設定情報に反映することを特徴とする請求項１乃至３の何れか１項記載の入力装置。
【請求項５】
前記第２の操作メニュー画面が、スライドバーであり、
前記入力管理部が、前記スライドバーが摺動されることにより指定された数値を前記設定情報に反映することを特徴とする請求項１乃至３の何れか１項記載の入力装置。
【請求項６】
前記第２の操作メニュー画面が、アイコンであり、
前記入力管理部が、前記アイコンが選択されることにより前記アイコンに予め登録された情報を前記設定情報に反映することを特徴とする請求項１乃至３の何れか１項記載の入力装置。
【請求項７】
請求項１乃至６の何れか１項記載の入力装置を備えたことを特徴とする画像読取装置。
【請求項８】
請求項１乃至６の何れか１項記載の入力装置を備えたことを特徴とする画像形成装置。
【請求項９】
第１、第２の操作メニュー画面を表示する表示工程と、前記第１、第２の操作メニュー画面に対するタッチ入力を複数同時に検出可能な入力工程と、前記タッチ入力に応じて前記第１、第２の操作メニュー画面の操作を実行する制御工程とを含む入力方法であって、
前記制御工程は、
前記第１の操作メニュー画面に対する第１のタッチ入力の入力位置及び前記第２の操作メニュー画面に対する第２のタッチ入力の入力位置を夫々検出する入力検出工程と、
前記第１の操作メニュー画面に表示される設定項目に前記第１のタッチ入力が継続していることを判定する入力継続状態判定工程と、
前記設定項目に対する前記第１のタッチ入力が継続している場合には、前記第２の操作メニュー画面を表示し、前記設定項目に対する前記第１のタッチ入力が中断した場合には、前記第２の操作メニュー画面を非表示にする表示管理工程と、
前記設定項目に対する前記第１のタッチ入力が中断することにより、前記第２の操作メニュー画面に対する前記第２のタッチ入力に応じた入力情報を前記設定項目の設定情報に反映する入力管理工程と、
を含むことを特徴とする入力方法。
【請求項１０】
第１、第２の操作メニュー画面を表示する表示手段と、前記第１、第２の操作メニュー画面に対するタッチ入力を複数同時に検出可能な入力手段と、前記タッチ入力に応じて前記第１、第２の操作メニュー画面の操作を実行する制御手段とを備えた入力装置を実行するためのプログラムであって、
前記第１の操作メニュー画面に対する第１のタッチ入力の入力位置及び前記第２の操作メニュー画面に対する第２のタッチ入力の入力位置を夫々検出する入力検出ステップと、
前記第１の操作メニュー画面に表示される設定項目に前記第１のタッチ入力が継続していることを判定する入力継続状態判定ステップと、
前記設定項目に対する前記第１のタッチ入力が継続している場合には、前記第２の操作メニュー画面を表示し、前記設定項目に対する前記第１のタッチ入力が中断した場合には、前記第２の操作メニュー画面を非表示にする表示管理ステップと、
前記設定項目に対する前記第１のタッチ入力が中断することにより、前記第２の操作メニュー画面に対する前記第２のタッチ入力に応じた入力情報を前記設定項目の設定情報に反映する入力管理ステップと、
を実行させることを特徴とするプログラム。
【発明の詳細な説明】
【技術分野】
【０００１】
本発明は、入力装置、画像読取装置、画像形成装置、入力方法、及びプログラムに関する。
【背景技術】
【０００２】
スキャナ装置等の画像読取機能を有する画像読取装置やＭＦＰ等の画像形成機能を有する画像形成装置では、両面印刷、集約（２頁を１枚にする２ｉｎ１、４頁を１枚にする４ｉｎ１等）、印刷枚数、拡縮倍率、カラーモード、原稿用紙の大きさ、濃度、明度、シャープネス等の設定項目の複雑化や多様化に伴い、操作メニュー画面が複雑化しており、ユーザが直感的に操作可能なユーザインターフェースが望まれている。
【０００３】
従来、上述したような画像読取装置や画像形成装置に用いられる入力装置として、例えば、操作メニュー画面を表示する液晶パネルと、液晶パネルに対するタッチ入力を検出可能なタッチパネルとを備え、図１３及び図１４に示すように、操作メニュー画面に表示された拡縮倍率の表示ウィンドウ９０に対するタッチ入力を検出すると、操作メニュー画面にテンキー９１を表示し、このテンキー９１に所望の数値をタッチ入力することで、拡縮倍率を設定するものが知られている。
【０００４】
また、他の入力装置として、上述の入力装置と同様の構成から成り、例えば、ユーザが操作メニュー画面上の倍率選択キーに触れると、倍率選択画面が表示され、この倍率選択画面には、拡縮倍率の表示ウィンドウと任意に倍率を入力するためのテンキーとが並べて表示されているものが知られている（例えば、特許文献１参照）。
【先行技術文献】
【特許文献】
【０００５】
【特許文献１】特開平１１−２８２３１４号公報
【発明の概要】
【発明が解決しようとする課題】
【０００６】
しかしながら、上述した前者の入力装置では、ユーザがテンキー９１に対するタッチ入力を終えた後に、ＯＫボタン９２を押下して、入力した数値を拡縮倍率として確定させる必要があり、ＯＫボタン９２を押し忘れると入力した数値が拡縮倍率に設定されない上、入力操作が複雑になりがちであった。また、限られた操作メニュー画面の画面サイズ内にＯＫボタン９２を設けなければならず、操作メニュー画面のレイアウトに制限が課せられるという問題があった。
【０００７】
また、後者の入力装置では、テンキーの表示・非表示の切り替えは、倍率選択画面の表示・非表示と連動して切り替わるものであり、拡縮倍率の表示ウィンドウとテンキーとの一方のみを選択的に表示できないため、操作メニュー画面内で表示される表示ウィンドウ及びテンキー夫々の表示サイズが小さくなりがちで、ユーザが視認しにくいという問題があった。
【０００８】
そこで、設定項目の入力に要する入力動作の簡略化を実現すると共に、操作メニュー画面のレイアウトの自由度を確保するために解決すべき技術的課題が生じてくるのであり、本発明は、この課題を解決することを目的とする。
【課題を解決するための手段】
【０００９】
本発明は、上記目的を達成するために提案するものであり、請求項１記載の発明は、
第１、第２の操作メニュー画面を表示する表示手段と、前記第１、第２の操作メニュー画面に対するタッチ入力を複数同時に検出可能な入力手段と、前記タッチ入力に応じて前記第１、第２の操作メニュー画面の操作を実行する制御手段とを備えた入力装置であって、
前記制御手段は、
前記第１の操作メニュー画面に対する第１のタッチ入力の入力位置及び前記第２の操作メニュー画面に対する第２のタッチ入力の入力位置を夫々検出する入力検出部と、
前記第１の操作メニュー画面に表示された設定項目に前記第１のタッチ入力が継続していることを判定する入力継続状態判定部と、
前記設定項目に対する前記第１のタッチ入力が継続している場合には、前記第２の操作メニュー画面を表示し、前記設定項目に対する前記第１のタッチ入力が中断した場合には、前記第２の操作メニュー画面を非表示にする表示管理部と、
前記設定項目に対する前記第１のタッチ入力が中断することにより、前記第２の操作メニュー画面に対する前記第２のタッチ入力に応じた入力情報を前記設定項目の設定情報に反映する入力管理部と、
を備えていることを特徴とする入力装置を提供する。
【００１０】
この構成によれば、第１の操作メニュー画面に表示された設定項目への第１のタッチ入力を継続するだけで、第２の操作メニュー画面が表示されると共に、設定項目への第１のタッチ入力を中断するだけで、第２の操作メニュー画面への第２のタッチ入力による入力情報が設定項目の設定情報に反映された上で、第２の操作メニュー画面を非表示にすることができる。これにより、選択項目に対する第２のタッチ入力に応じた入力情報を設定情報に反映するための入力操作を簡略化することができると共に、第１の操作メニュー画面及び第２の操作メニュー画面のレイアウトやサイズを夫々自由に設定することができる。
【００１１】
請求項２記載の発明は、請求項１記載の発明の構成に加えて、
前記表示管理部は、前記設定項目に重ならずに前記第２の操作メニュー画面を表示する入力装置を提供する。
【００１２】
この構成によれば、設定項目の近傍、即ち、設定項目を押下した手で第２の操作メニュー画面に対する第２のタッチ入力を行える範囲内で、第２の操作メニュー画面が設定項目上に重なることなく表示されるため、ユーザは入力操作を片手で行うことができる。
【００１３】
請求項３記載の発明は、請求項２記載の発明の構成に加えて、
前記表示管理部は、前記設定項目の利き手側に前記第２の操作メニュー画面を表示する入力装置を提供する。
【００１４】
この構成によれば、ユーザが右手で設定項目を押下する場合には、第２の操作メニュー画面が設定項目の右側に表示され、ユーザが左手で設定項目を押下する場合には、第２の操作メニュー画面が設定項目の左側に表示されることにより、設定項目と第２の操作メニュー画面との配置関係に起因して設定項目及び第２の操作メニュー画面を押下する指が交錯することを回避するため、入力操作を片手でスムーズに行うことができる。
【００１５】
請求項４記載の発明は、請求項１乃至３の何れか１項記載の発明の構成に加えて、
前記第２の操作メニュー画面が、テンキーであり、
前記入力管理部が、前記テンキーが押下されることにより入力された数値を前記設定情報に反映する入力装置を提供する。
【００１６】
この構成によれば、設定項目に対する第１のタッチ入力を継続した状態で、テンキーを
押下して所望の入力情報を入力した後に、設定項目に対する第１のタッチ入力を中断するだけで、入力情報を設定情報に反映するため、設定項目の入力操作を簡便に実現することができる。
【００１７】
請求項５記載の発明は、請求項１乃至３の何れか１項記載の発明の構成に加えて、
前記第２の操作メニュー画面が、スライドバーであり、
前記入力管理部が、前記スライドバーが摺動されることにより指定された数値を前記設定情報に反映する入力装置を提供する。
【００１８】
この構成によれば、設定項目に対する第１のタッチ入力を継続した状態で、スライドバーを摺動してスライドバーの摺動位置に応じた所望の入力情報を入力した後に、設定項目に対する第１のタッチ入力を中断するだけで、入力情報を設定情報に反映するため、設定項目の入力操作を簡便に実現することができる。
【００１９】
請求項６記載の発明は、請求項１乃至３の何れか１項記載の発明の構成に加えて、
前記第２の操作メニュー画面が、アイコンであり、
前記入力管理部が、前記アイコンが選択されることにより前記アイコンに予め登録された情報を前記設定情報に反映する入力装置を提供する。
【００２０】
この構成によれば、設定項目に対する第１のタッチ入力を継続した状態で、所望の入力情報に対応するアイコンを押下して入力情報を入力した後に、設定項目に対する第１のタッチ入力を中断するだけで、入力情報を設定情報に反映するため、設定項目の入力操作を簡便に実現することができる。
【００２１】
また、請求項７記載の発明は、請求項１乃至６の何れか１項記載の入力装置を備えた画像読取装置を提供する。
【００２２】
この構成によれば、画像読取装置の設定情報を入力する入力操作を簡略化することができる。
【００２３】
また、請求項８記載の発明は、請求項１乃至６の何れか１項記載の入力装置を備えた画像形成装置を提供する。
【００２４】
この構成によれば、画像形成装置の設定情報を入力する入力操作を簡略化することができる。
【００２５】
また、本発明は、上記目的を達成するために以下に述べる入力方法を提供することができる。すなわち、請求項９記載の発明は、
第１、第２の操作メニュー画面を表示する表示工程と、前記第１、第２の操作メニュー画面に対するタッチ入力を複数同時に検出可能な入力工程と、前記タッチ入力に応じて前記第１、第２の操作メニュー画面の操作を実行する制御工程とを含む入力方法であって、
前記制御工程は、
前記第１の操作メニュー画面に対する第１のタッチ入力の入力位置及び前記第２の操作メニュー画面に対する第２のタッチ入力の入力位置を夫々検出する入力検出工程と、
前記第１の操作メニュー画面に表示される設定項目に前記第１のタッチ入力が継続していることを判定する入力継続状態判定工程と、
前記設定項目に対する前記第１のタッチ入力が継続している場合には、前記第２の操作メニュー画面を表示し、前記設定項目に対する前記第１のタッチ入力が中断した場合には、前記第２の操作メニュー画面を非表示にする表示管理工程と、
前記設定項目に対する前記第１のタッチ入力が中断することにより、前記第２の操作メ
ニュー画面に対する前記第２のタッチ入力に応じた入力情報を前記設定項目の設定情報に反映する入力管理工程と、
を含むことを特徴とする入力方法を提供する。
【００２６】
この方法によれば、第１の操作メニュー画面に表示された設定項目への第１のタッチ入力を継続するだけで、第２の操作メニュー画面が表示されると共に、設定項目への第１のタッチ入力を中断するだけで、第２の操作メニュー画面への第２のタッチ入力による入力情報が設定項目の設定情報に反映された上で、第２の操作メニュー画面を非表示にすることができる。これにより、第２の操作メニュー画面に対する第２のタッチ入力に応じた入力情報を設定情報に反映するための入力操作を簡略化することができると共に、第１の操作メニュー画面及び第２の操作メニュー画面のレイアウトやサイズを夫々自由に設定することができる。
【００２７】
また、請求項１０記載の発明は、
第１、第２の操作メニュー画面を表示する表示手段と、前記第１、第２の操作メニュー画面に対するタッチ入力を複数同時に検出可能な入力手段と、前記タッチ入力に応じて前記第１、第２の操作メニュー画面の操作を実行する制御手段とを備えた入力装置を実行するためのプログラムであって、
前記第１の操作メニュー画面に対する第１のタッチ入力の入力位置及び前記第２の操作メニュー画面に対する第２のタッチ入力の入力位置を夫々検出する入力検出ステップと、
前記第１の操作メニュー画面に表示される設定項目に前記第１のタッチ入力が継続していることを判定する入力継続状態判定ステップと、
前記設定項目に対する前記第１のタッチ入力が継続している場合には、前記第２の操作メニュー画面を表示し、前記設定項目に対する前記第１のタッチ入力が中断した場合には、前記第２の操作メニュー画面を非表示にする表示管理ステップと、
前記設定項目に対する前記第１のタッチ入力が中断することにより、前記第２の操作メニュー画面に対する前記第２のタッチ入力に応じた入力情報を前記設定項目の設定情報に反映する入力管理ステップと、
を実行させることを特徴とするプログラムを提供する。
【００２８】
この構成によれば、第１の操作メニュー画面に表示された設定項目への第１のタッチ入力を継続するだけで、第２の操作メニュー画面が表示されると共に、設定項目への第１のタッチ入力を中断するだけで、第２の操作メニュー画面への第２のタッチ入力による入力情報が設定項目の設定情報に反映された上で、第２の操作メニュー画面を非表示にすることができる。これにより、第２の操作メニュー画面に対する第２のタッチ入力に応じた入力情報を設定情報に反映するための入力操作を簡略化することができると共に、第１の操作メニュー画面及び第２の操作メニュー画面のレイアウトやサイズを夫々自由に設定することができる。
【発明の効果】
【００２９】
本発明によれば、入力情報を設定情報に反映するための入力操作を簡略化することができると共に、第１の操作メニュー画面及び第２の操作メニュー画面のレイアウトやサイズを夫々自由に設定することができる。
【図面の簡単な説明】
【００３０】
【図１】本発明の第１実施例に係る入力装置１を用いた画像形成装置１００の構成を示す図。
【図２】表示ディスプレイ２に表示されるコピー倍率設定画面Ｌ１を示す図。
【図３】コピー倍率設定画面Ｌ１上の倍率表示部ｉ１を押下する状態を示す図。
【図４】倍率入力画面Ｌ２上のテンキーｉ２を押下する状態を示す図。
【図５】倍率表示部ｉ１に対する押下を中断して倍率入力画面Ｌ２を非表示にした状態を示す図。
【図６】入力装置１を用いた入力方法を示すフローチャート。
【図７】本発明の第２実施例に係る入力装置５の表示ディスプレイ２に表示されるホーム画面Ｌ３及び明度調整アイコンｉ７を示す図。
【図８】明度調整アイコンｉ７を押下した状態でスライドバーｉ８を摺動する状態を示す図。
【図９】入力装置５を用いた入力方法を示すフローチャート。
【図１０】本発明の第３実施例に係る入力装置６の表示ディスプレイ２に表示されるコピーモード画面Ｌ５及び片面／両面コピー設定アイコンｉ１１を示す図。
【図１１】片面／両面コピー設定アイコンｉ１１を押下した状態で選択アイコンｉ１２を押下する状態を示す図。
【図１２】入力装置７を用いた入力方法を示すフローチャート。
【図１３】従来の入力装置の倍率設定画面を示す図。
【図１４】図１３に示す入力装置における倍率入力画面を示す図。
【発明を実施するための形態】
【００３１】
本発明に係る入力装置は、設定項目の入力に要する入力動作の簡略化を実現すると共に、操作メニュー画面のレイアウトの自由度を確保するという目的を達成するために、操作メニュー画面を表示する表示手段と、第１、第２の操作メニュー画面に対するタッチ入力を複数同時に検出可能な入力手段と、タッチ入力に応じて前記第１、第２の操作メニュー画面の操作を実行する制御手段とを備えた入力装置であって、制御手段は、第１の操作メニュー画面に対する第１のタッチ入力の入力位置及び第２の操作メニュー画面に対する第２のタッチ入力の入力位置を夫々検出する入力検出部と、第１の操作メニュー画面に表示された設定項目に第１のタッチ入力が継続していることを判定する入力継続状態判定部と、設定項目に対する第１のタッチ入力が継続している場合には、第２の操作メニュー画面を第１の操作メニュー画面に重畳させて表示し、設定項目に対する第１のタッチ入力が中断した場合には、第２の操作メニュー画面を非表示にする表示管理部と、設定項目に対する第１のタッチ入力が中断することにより、第２の操作メニュー画面に表示された選択項目に対する第２のタッチ入力に応じた入力情報を設定項目の設定情報に反映する入力管理部と、を備えている入力装置により実現した。
【００３２】
また、本発明に係る入力方法は、設定項目の入力に要する入力動作の簡略化を実現すると共に、操作メニュー画面のレイアウトの自由度を確保するという目的を達成するために、第１、第２の操作メニュー画面を表示する表示工程と、第１、第２の操作メニュー画面に対するタッチ入力を複数同時に検出可能な入力工程と、タッチ入力に応じて第１、第２の操作メニュー画面の操作を実行する制御工程とを含む入力方法であって、制御工程は、第１の操作メニュー画面に対する第１のタッチ入力の入力位置及び第２の操作メニュー画面に対する第２のタッチ入力の入力位置を夫々検出する入力検出工程と、第１の操作メニュー画面に表示される設定項目に第１のタッチ入力が継続していることを判定する入力継続状態判定工程と、設定項目に対する第１のタッチ入力が継続している場合には、第２の操作メニュー画面を第１の操作メニュー画面に重畳させて表示し、設定項目に対する第１のタッチ入力が中断した場合には、第２の操作メニュー画面を非表示にする表示管理工程と、設定項目に対する第１のタッチ入力が中断することにより、第２の操作メニュー画面に表示された選択項目に対する第２のタッチ入力に応じた入力情報を設定項目の設定情報に反映する入力管理工程と、を含む入力方法により実現した。
【００３３】
また、本発明に係るプログラムは、設定項目の入力に要する入力動作の簡略化を実現すると共に、操作メニュー画面のレイアウトの自由度を確保するという目的を達成するために、第１、第２の操作メニュー画面を表示する表示手段と、第１、第２の操作メニュー画
面に対するタッチ入力を複数同時に検出可能な入力手段と、タッチ入力に応じて第１、第２の操作メニュー画面の操作を実行する制御手段とを備えた入力装置を実行するためのプログラムであって、第１の操作メニュー画面に対する第１のタッチ入力の入力位置及び第２の操作メニュー画面に対する第２のタッチ入力の入力位置を夫々検出する入力検出ステップと、第１の操作メニュー画面に表示される設定項目に第１のタッチ入力が継続していることを判定する入力継続状態判定ステップと、設定項目に対する第１のタッチ入力が継続している場合には、第２の操作メニュー画面を第１の操作メニュー画面に重畳させて表示し、設定項目に対する第１のタッチ入力が中断した場合には、第２の操作メニュー画面を非表示にする表示管理ステップと、設定項目に対する第１のタッチ入力が中断することにより、第２の操作メニュー画面に表示された選択項目に対する第２のタッチ入力に応じた入力情報を設定項目の設定情報に反映する入力管理ステップと、を実行させるプログラムにより実現した。
【実施例】
【００３４】
本発明の第１実施例に係る入力装置１を用いた画像形成装置１０0について、図１乃至
図５に基づいて説明する。
【００３５】
画像形成装置１００は、図１に示すように、記録用紙等の記録媒体に画像を印刷する印刷装置１１０と、印刷装置１１０の動作を制御する制御装置１２０と、制御装置１２０に接続された入力装置１とを備えている。ユーザの指示は、入力装置１を介して制御装置１２０に伝えられる。
なお、入力装置１の適用例として画像形成装置１００を示すが、入力装置１は、スキャナ等の画像読取手段を有する画像読取装置や、パーソナルコンピュータ、カーナビゲーション装置、情報端末、携帯電話等、ユーザからの入力操作を必要とする装置全般に適用することができる。
【００３６】
入力装置１は、表示手段としての表示ディスプレイ（LCD）２と、入力手段としてのタ
ッチパネル３と、タッチパネル３に対するタッチ入力に応じて表示ディスプレイ１を表示制御する制御手段４とで構成されている。
【００３７】
表示ディスプレイ２には、図２乃至図５に示すように、第１の操作メニュー画面としてのコピー倍率設定画面Ｌ１と、第２の操作メニュー画面としての倍率入力画面Ｌ２とが表示される。コピー倍率設定画面Ｌ１には、設定項目としての倍率表示部ｉ１、拡縮倍率の数値を増減する＋キーｉ３及び−キーｉ４、予め倍率の数値が登録されたワンタッチキーｉ５、及びコピーを開始するスタートキーｉ６が表示されている。倍率入力画面Ｌ２には、選択項目としてのテンキーｉ２が表示される。
【００３８】
タッチパネル３は、表示ディスプレイ２上に表示された情報に対するユーザのタッチ入力を検出する。タッチパネル３は、タッチ位置を複数同時に検出可能なマルチタッチパネルである。なお、タッチタッチパネル３に対するユーザのタッチ入力の入力位置を検出する検出方式は、複数の入力位置を検出可能なものであれば良く、静電容量方式、抵抗膜方式、音響パルス認識方式、超音波表面弾性波方式、赤外遮光方式、画像認識方式等の何れであっても構わない。本実施例のタッチパネル３では、比較的小さいディスプレイに好適な抵抗膜方式を採用しているが、例えば、画面サイズが１５inch以上の比較的大きいディスプレイに好適な静電容量方式を採用しても構わない。
【００３９】
制御手段４は、コピー倍率設定画面Ｌ１に対する第１のタッチ入力の入力位置及び倍率入力画面Ｌ２に対する第２のタッチ入力の入力位置を夫々検出する入力検出部４１と、倍率表示部ｉ１に第１のタッチ入力が継続していることを判定する入力継続状態判定部４２と、倍率表示部ｉ１に対する第１のタッチ入力が継続している場合には、倍率入力画面Ｌ
２をコピー倍率設定画面Ｌ１に重畳させて表示し、倍率表示部ｉ１に対する第１のタッチ入力が中断した場合には、倍率入力画面Ｌ２を非表示にする表示管理部４３と、倍率表示部Ｉ１に対する第１のタッチ入力が中断することにより、テンキーｉ２に対する第２のタッチ入力に応じた入力情報を倍率表示部ｉ１に表示される設定情報としての拡縮倍率に反映する入力管理部４４を備えている。
【００４０】
制御手段４は、図示しないＣＰＵ（Central Processing Unit）、ＲＯＭ（Read Only Memory）、ＲＡＭ（Random Access Memory）等を備えている。ＲＯＭに記憶されたプログ
ラムを実行することにより、入力装置１を動作させることができる。なお、プログラムは、入力装置１と分離可能な記憶媒体に記憶されても構わない。
【００４１】
次に、本実施例に係る入力装置１を用いた入力方法について、図６のフローチャートに基づいて、コピーの拡縮倍率をテンキーｉ２で入力する場合を例に説明する。なお、本入力方法は、テンキーを用いて数値を入力するものであれば、如何なる機能に適用しても構わない。
【００４２】
ユーザが、初期メニュー画面からコピーモードを選択し（S１のYes）、倍率設定モードを選択したとき（S２のYes）、入力検出部４１は、表示ディスプレイ１に表示されたコピー倍率設定画面Ｌ１内の倍率表示部ｉ１への第１のタッチ入力が検出されたか、すなわち、倍率表示部ｉ１が押下されているかを判定する（S３）。
【００４３】
倍率表示部ｉ１が押下された場合（S３のYes）、入力継続状態判定部４２は、倍率表示部ｉ１が継続して押下されているかを判定する（S４）。なお、入力継続状態判定部４２
が、倍率表示部ｉ１が押下され続けていると判定するまでの連続押下時間は、誤入力を排除すると共に操作性を損なわない範囲で適宜設定されて良く、例えば、連続押下時間を２秒に設定しても構わない。
【００４４】
倍率表示部ｉ１が押下され続けている場合（S４のYes）、表示管理部４３は、テンキーｉ２を含む倍率入力画面Ｌ２をコピー倍率設定画面Ｌ１上に重畳して表示する（S５）。
なお、後述するＳ７又はＳ９を経てＳ４に戻る場合、表示管理部４３は、倍率入力画面Ｌ２をその都度別個に表示することなく、既に表示されている倍率入力画面Ｌ２をコピー倍率設定画面Ｌ１上に継続して表示するようになっている。
なお、テンキーｉ２は、倍率表示部ｉ１に重ならずに倍率表示部ｉ１の近傍、即ち、ユーザが片手で倍率表示部ｉ１とテンキーｉ２とを押下できる範囲内に表示されるのが好ましい。これにより、ユーザは、倍率表示部ｉ１とテンキーｉ２とを片手で押下することができる。
さらに、倍率入力画面Ｌ２は、倍率表示部ｉ１の利き手側、即ち、ユーザが右利きの場合には右上側に表示し、ユーザが左利きの場合には左上側に表示するのが好ましい。これにより、例えば、右利きのユーザが、倍率表示部ｉ１を右手親指で押下しながら、倍率入力画面Ｌ２上のテンキーｉ２を右手人差し指等で押下するため、指が交錯することなくスムーズに入力操作を行うことができる。なお、ユーザの利き手は、倍率表示部ｉ１を押下したユーザの指の傾きに基づいて判断される。例えば、指が倍率表示部ｉ１に対して左に傾いている場合には、そのユーザの利き手が右と判断され、指が倍率表示部ｉ１に対して右に傾いている場合には、そのユーザの利き手が左と判断される。
【００４５】
次に、入力検出部４１が、倍率入力画面Ｌ２上のテンキーｉ２への第２のタッチ入力が検出されたか、すなわち、テンキーｉ２が押下されたかを判定する（S６）。入力検出部
４１は、テンキーｉ２が押下されたことを検出した場合（S６のYes）、入力管理部４４は、テンキーｉ２で押下された数値を倍率入力画面Ｌ２上の数値表示部Ｗに入力する（S７
）。
【００４６】
テンキーｉ２が押下されない場合（S６のNo）、入力検出部４１が、Clearキー（Cキー
）が押下されたか否かを判定する（S８）。Cキーが押下された場合（Ｓ８のＹｅｓ）、入力管理部４４は、入力済みの数字をクリアする（S９）。Cキーが押下されない場合（Ｓ８のＮｏ）、入力管理部４４は、入力済みの数字を保持する。
【００４７】
S４にて、倍率表示部ｉ１への第１のタッチ入力が中断した場合、すなわち、倍率表示
部ｉ１が押下されなくなった場合（S４のNo）、表示管理部４３は、倍率入力画面Ｌ２を
非表示にする（S１０）。
【００４８】
入力管理部４４は、テンキーｉ２を押下してタッチ入力された入力値が、０か否かを判定する（S１１）。入力値が０でない場合（S１１のNo）、入力管理部４４は、その入力値を設定情報としての拡縮倍率に反映して、倍率表示部ｉ１にその数値を表示する（S１２
）。入力値が０の場合（S１１のYes）、Ｓ１に戻る。
【００４９】
次に、図２に示すように、コピー倍率設定画面Ｌ１上に倍率表示部ｉ１と共に表示される＋キーｉ３、−キーｉ４、ワンタッチキーｉ５、及びスタートキーｉ６が押下された場合について、図６に基づいて説明する。
【００５０】
S３にて、倍率表示部ｉ１への第１のタッチ入力が検出されない場合（S３のNo）、入力検出部４１が、コピー倍率設定画面Ｌ１に表示された＋キーｉ３が押下されたか否かを判定する（S１３）。＋キーｉ３へのタッチ入力が検出された場合（S１３のYes）、入力管
理部４４は、倍率表示部ｉ１に表示された拡縮倍率の値が最大値か否かを判定する（Ｓ１４）。
【００５１】
倍率表示部ｉ１に表示された拡縮倍率の値が最大値でない場合（S１４のNo）、入力管
理部４４は、その値に１を加算する（S１５）。倍率表示部ｉ１に表示された拡縮倍率の
値が最大値のときは（S１４のYes）、入力管理部４４は、その値を維持する（S１６）。
【００５２】
S１３にて、＋キーｉ３へのタッチ入力が検出されない場合（S１３のNo）、入力検出部４１が、コピー倍率設定画面Ｌ１に表示された−キーｉ４が押下されたか否かを判定する（S１７）。−キーｉ４へのタッチ入力が検出された場合（S１７のYes）、入力管理部４
４は、倍率表示部ｉ１に表示された拡縮倍率の値が最小値か否かを判定する（Ｓ１８）。
【００５３】
倍率表示部ｉ１に表示された拡縮倍率の値が最小値でない場合（S１８のNo）、入力管
理部４４は、その値に１を減算する（S１９）。倍率表示部ｉ１に表示された拡縮倍率の
値が最小値のときは（S１８のYes）、入力管理部４４は、その値を維持する（S２０）。
【００５４】
S１７にて、−キーｉ４へのタッチ入力が検出されない場合（S１７のNo）、入力検出部４１が、コピー倍率設定画面Ｌ１に表示されたワンタッチキーｉ５が押下されたか否かを判定する（S２１）。ワンタッチキーｉ５へのタッチ入力が検出された場合（S２１のYes
）、ワンタッチキーｉ５に予め登録された数値を拡縮倍率に設定する（S２２）。
【００５５】
S２１にて、ワンタッチキーｉ５へのタッチ入力が検出されない場合（S２１のNo）、入力検出部４１が、コピー倍率設定画面Ｌ１に表示されたスタートキーｉ６が押下されたか否かを判定する（Ｓ２３）。スタートキーｉ６が押下されたと判定したときは（S２３のYes）、コピーを開始する（S２４）。
【００５６】
上述した入力装置１によれば、図２及び図３に示すように、例えば、ユーザが、コピー倍率設定画面Ｌ１に表示された倍率表示部ｉ１を右手親指で押下し続けるだけで、コピー
倍率を入力するための倍率入力画面Ｌ２をコピー倍率設定画面Ｌ１に重畳して表示させることができる。また、図４に示すように、倍率入力画面Ｌ２上のテンキーｉ２を右手人差し指でタッチ入力することができる。そして、図５に示すように、右手親指を倍率表示部ｉ１から離すだけで、倍率入力画面Ｌ２を非表示にすると共に、テンキーｉ２に入力された数値を倍率表示部ｉ１に表示される拡縮倍率に設定することができる。
【００５７】
これにより、倍率入力画面Ｌ２を介して入力された入力情報を設定情報に反映するための入力操作を簡略化することができると共に、コピー倍率設定画面Ｌ１及び倍率入力画面Ｌ２のレイアウトやサイズを夫々自由に設定することができる。
【００５８】
次に、本発明の第２実施例に係る入力装置５について、図７及び図８に基づいて、説明する。ここで、上述した第１実施例の入力装置と同一の部材については、重複する説明を省略する。
【００５９】
本実施例における表示ディスプレイ２には、図７及び図８に示すように、第１の操作メニュー画面としてのホーム画面Ｌ３と、第２の操作メニュー画面としての明度調整画面Ｌ４とが表示される。ホーム画面Ｌ３には、設定項目としての明度調整アイコンｉ７が表示されている。さらに、明度調整画面Ｌ４上には、選択項目としてのスライドバーｉ８と、スライドバーｉ８の左右に配置されて明度の数値を増減する＋キーｉ９及び−キーｉ１０が表示される。
【００６０】
制御手段４は、ホーム画面Ｌ３に対する第１のタッチ入力の入力位置及び明度調整画面Ｌ４に対する第２のタッチ入力の入力位置を夫々検出する入力検出部４１と、明度調整アイコンｉ７に第１のタッチ入力が継続していることを判定する入力継続状態判定部４２と、明度調整アイコンｉ７に対する第１のタッチ入力が継続している場合には、明度調整画面Ｌ４をホーム画面Ｌ３に重畳させて表示し、明度調整アイコンｉ７に対する第１のタッチ入力が中断した場合には、明度調整画面Ｌ４を非表示にする表示管理部４３と、明度調整アイコンｉ７に対する第１のタッチ入力が中断することにより、スライドバーｉ８に対する第２のタッチ入力によるスライドバーｉ８の摺動位置に応じて指定された数値を設定情報としての明度に反映する入力管理部４４を備えている。
【００６１】
次に、入力装置５を用いた入力方法について、図９のフローチャートに基づいて、コピーの明度をスライドバーｉ８で調整する場合を例に説明する。なお、本入力方法は、スライドバーｉ８を用いるものであれば、如何なる機能に適用しても構わない。また、図６のフローチャートと同様の処理を実行する工程には同一の符号を付し、重複する説明を省略する。
【００６２】
図９に示すように、ユーザが、初期メニュー画面からコピーモードを選択し（S１のYes）、明度設定モードを選択したとき（S２５のYes）、入力検出部４１は、ホーム画面Ｌ３内の明度調整アイコンｉ７への第１のタッチ入力が検出されたか、すなわち、明度調整アイコンｉ７が押下されたかを判定する（S２６）。
【００６３】
入力検出部４１が、明度調整アイコンｉ７が押下されたことを検出すると（S２６のYes）、入力継続状態判定部４２は、明度調整アイコンｉ７が押下され続けているかを判定する（S２７）。なお、入力継続状態判定部４２が、明度調整アイコンｉ７が押下され続け
ていると判定するまでの連続押下時間は、誤入力を排除すると共に操作性を損なわない範囲で適宜設定されて良く、例えば、連続押下時間を２秒に設定しても構わない。
【００６４】
明度調整アイコンｉ７が押下され続けている場合（S２７のYes）、表示管理部４３は、スライドバーｉ８を含む明度調整画面Ｌ４を明度調整アイコンｉ７の近傍に表示する（S
２８）。なお、後述するＳ３０、Ｓ３３、Ｓ３４、Ｓ３５、Ｓ３７又はＳ３８を経てＳ２７に戻る場合、表示管理部４３は、明度調整画面Ｌ４をその都度別個に表示することなく、既に表示されている明度調整画面Ｌ４を明度調整アイコンｉ７の近傍に継続して表示するようになっている。
【００６５】
入力検出部４１が、スライドバーｉ８への第２のタッチ入力が検出されたか、すなわち、スライドバーｉ８が、明度のデフォルト値に対応する初期位置から摺動されたかを判定する（S２９）。入力検出部４１が、スライドバーｉ８が初期位置から摺動されたことを
検出した場合（S２９のYes）、入力管理部４４は、スライドバーｉ８の摺動位置に対応する数値を入力する（S３０）。
【００６６】
Ｓ２９にて、スライドバーｉ８への第２のタッチ入力が検出されない場合（S２９のNo
）、入力検出部４１は、明度調整画面Ｌ４に表示された＋キーｉ９が押下されたか否かを判定する（S３１）。
【００６７】
＋キーｉ９へのタッチ入力が検出された場合（S３１のYes）、入力管理部４４は、スライドバーｉ８の摺動位置に対応する入力値が最大値か否かを判定する（Ｓ３２）。
【００６８】
スライドバーｉ８の摺動位置に対応する入力値が最大値でない場合（S３２のNo）、入
力管理部４４は、その値に１を加算する（S３３）。スライドバーｉ８の摺動位置に対応
する入力値が最大値の場合（S３２のYes）、入力管理部４４は、その値を維持する（S３
４）。
【００６９】
S３１にて、＋キーｉ９へのタッチ入力が検出されない場合（S３１のNo）、入力検出部４１は、明度調整画面Ｌ４に表示された−キーｉ１０が押下されたか否かを判定する（S
３５）。
【００７０】
−キーｉ１０へのタッチ入力が検出された場合（S３５のYes）、入力管理部４４は、スライドバーｉ８の摺動位置に対応する入力値が最小値か否かを判定する（Ｓ３６）。
【００７１】
スライドバーｉ８の摺動位置に対応する入力値が最小値でない場合（S３６のNo）、入
力管理部４４は、その値に１を減算する（S３７）。スライドバーｉ８の摺動位置に対応
する入力値が最小値のときは（S３６のYes）、入力管理部４４は、その値を維持する（S
３８）。
【００７２】
S２７にて、明度調整アイコンｉ７への第１のタッチ入力が中断した場合、すなわち、
明度調整アイコンｉ７が押下されなくなった場合（S２７のNo）、表示管理部４３は、明
度調整画面Ｌ４を非表示にする（S３９）。
【００７３】
入力管理部４４は、スライドバーｉ８の摺動位置に対応する入力値が明度のデフォルト値から変更されたか否かを判定する（S４０）。入力値がデフォルト値から変更されてい
る場合（S４０のYes）、入力管理部４４は、その入力値を明度に設定する（S４１）。入
力値がデフォルト値から変更されていない場合（S４０のNo）、明度を変更することなく
、Ｓ１に戻る。
【００７４】
上述した入力装置５によれば、図７及び図８に示すように、例えば、ユーザが、明度調整アイコンｉ７を右手親指で押下し続けるだけで、明度調整画面Ｌ４を表示させることができる。また、図８に示すように、明度調整画面Ｌ４上のスライドバーｉ８を右手人差し指で図８の紙面左右方向に摺動させて、スライドバーｉ８の摺動位置に対応して明度を入力することができる。そして、右手親指を明度調整アイコンｉ７から離すだけで、スライ
ドバーｉ８を非表示にすると共に、スライドバーｉ８の摺動位置に対応する数値を明度に設定することができる。
【００７５】
これにより、明度調整画面Ｌ４を介して入力された入力情報を設定情報に反映するため入力操作を簡略化することができると共に、ホーム画面Ｌ３及び明度調整画面Ｌ４のレイアウトやサイズを夫々自由に設定することができる。
【００７６】
次に、本発明の第３実施例に係る入力装置７について、図１０及び図１１に基づいて、説明する。ここで、上述した第１実施例の入力装置と同一の部材については、重複する説明を省略する。
【００７７】
本実施例における表示ディスプレイ２には、図１０及び図１１に示すように、第１の操作メニュー画面としてのコピーモード画面Ｌ５と、第２の操作メニュー画面としての選択画面Ｌ６とが表示される。コピーモード画面Ｌ５には、設定項目としての片面／両面コピー設定アイコンｉ１１が表示されている。選択画面Ｌ６には、選択項目としての片面／両面コピーの選択アイコンｉ１２が表示される。
【００７８】
制御手段４は、コピーモード画面Ｌ５に対する第１のタッチ入力の入力位置及び選択画面Ｌ６に対する第２のタッチ入力の入力位置を夫々検出する入力検出部４１と、片面／両面コピー設定アイコンｉ１１に第１のタッチ入力が継続していることを判定する入力継続状態判定部４２と、片面／両面コピー設定アイコンｉ１１に対する第１のタッチ入力が継続している場合には、選択画面Ｌ６をコピーモード画面Ｌ５に重畳させて表示し、片面／両面コピー設定アイコンｉ１１に対する第１のタッチ入力が中断した場合には、選択画面Ｌ６を非表示にする表示管理部４３と、片面／両面コピー設定アイコンｉ１１に対する第１のタッチ入力が中断することにより、選択アイコンｉ１２に対する第２のタッ入力により選択された選択アイコンｉ１２に応じて片面／両面コピーを設定する入力管理部４４とを備えている。
【００７９】
次に、入力装置７を用いた入力方法について、図１２のフローチャートに基づいて、片面／両面コピーの設定を選択アイコンｉ１２で選択する場合を例に説明する。なお、本入力方法は、アイコンを用いるものであれば、如何なる機能に適用しても構わない。また、図６のフローチャートと同様の処理と実行する工程には同一の符号を付し、重複する説明を省略する。
【００８０】
図１２に示すように、ユーザが、初期メニュー画面からコピーモードを選択するとき（S１のYes）、入力検出部４１は、コピーモード画面Ｌ５上の片面／両面コピー設定アイコンｉ１１への第１のタッチ入力が検出されたか、すなわち、片面／両面コピー設定アイコンｉ１１が押下されたかを判定する（S４２）。
【００８１】
入力検出部４１は、片面／両面コピー設定アイコンｉ１１が押下されたことを検出すると（S４２のYes）、入力継続状態判定部４２は、片面／両面コピー設定アイコンｉ１１が押下され続けているかを判定する（S４３）。なお、入力継続状態判定部４２が、片面／
両面コピー設定アイコンｉ１１が押下され続けていると判定するまでの連続押下時間は、誤入力を排除すると共に操作性を損なわない範囲で適宜設定されて良く、例えば、連続押下時間を２秒に設定しても構わない。
【００８２】
片面／両面コピー設定アイコンｉ１１が押下され続けている場合（S４３のYes）、表示管理部４３は、選択アイコンｉ１２を含む選択画面Ｌ６を片面／両面コピー設定アイコンｉ１１の近傍に表示する（S４４）。なお、後述するＳ４５又はＳ４６を経てＳ４３に戻
る場合、表示管理部４３は、選択画面Ｌ６をその都度別個に表示することなく、既に表示
されている選択画面Ｌ６を片面／両面コピー設定アイコンｉ１１の近傍に継続して表示するようになっている。
【００８３】
次に、入力検出部４１は、選択画面Ｌ６上の選択アイコンｉ１２への第２のタッチ入力が検出されたか、すなわち、選択アイコンｉ１２が押下されたかを判定する（S４５）。
入力検出部４１が、選択アイコンｉ１２が押下されたことを検出した場合（S４５のYes）、入力管理部４１は、押下された選択アイコンｉ１２に対応する片面／両面の登録情報を入力する（S４６）。
【００８４】
S４３にて、片面／両面コピー設定アイコンｉ１１への第１のタッチ入力が中断した場
合、すなわち、片面／両面コピー設定アイコンｉ１１が押下されなくなった場合（S４３
のNo）、表示管理部４３は、選択画面Ｌ６を非表示にする（S４７）。
【００８５】
入力管理部４４は、選択アイコンｉ１２が押下されて片面／両面の登録情報が入力された否かを判定する（S４８）。何れの選択アイコンｉ１２も押下されておらず片面／両面
の登録情報が入力されていない場合（S４８のNo）、表示ディスプレイ２には、モード選
択画面が表示される。片面／両面の登録情報が入力されている場合（S４８のYes）、入力管理部４４は、その登録情報に対応して片面／両面コピーモードを設定する（S４９）。
【００８６】
上述した入力装置７によれば、図１０及び図１１に示すように、例えば、ユーザが、片面／両面コピー設定アイコンｉ９を右手親指で押下し続けるだけで、選択画面Ｌ６を表示させることができる。また、図１１に示すように、選択画面Ｌ６上の選択アイコンｉ１０を右手人差し指で選択することができる。そして、右手親指を片面／両面コピー設定アイコンｉ９から離すだけで、選択画面Ｌ６を非表示にすると共に、右手人差し指で選択された選択アイコンｉ１０に対応する片面／両面コピーモードを設定することができる。
【００８７】
これにより、選択画面Ｌ６を介して入力された入力情報を設定情報に反映するため入力操作を簡略化することができると共に、コピーモード画面Ｌ５及び選択画面Ｌ６のレイアウトやサイズを夫々自由に設定することができる。
【００８８】
なお、上述の各実施例では、ユーザが右手親指と右手人差し指とで入力操作を行う場合について説明したが、入力操作を行う指はこれらの指に限定されず、右手の他の指で入力操作を行っても、左手の各指で入力操作を行って構わない。
【００８９】
なお、本発明は、本発明の精神を逸脱しない限り種々の改変をなすことができ、そして、本発明が該改変されたものにも及ぶことは当然である。
【符号の説明】
【００９０】
１、５、７  ・・・  入力装置
２  ・・・  表示ディスプレイ（表示手段）
３  ・・・  タッチパネル（入力手段）
４  ・・・  制御手段
４１・・・  入力検出部
４２・・・  入力継続状態判定部
４３・・・  表示管理部
４４・・・  入力管理部
１００・・・  画像形成装置
【図１】
2018008519.tif 000003
【図２】
2018008519.tif 000004
【図３】
2018008519.tif 000005
【図４】
2018008519.tif 000006
【図５】
2018008519.tif 000007
【図６】
2018008519.tif 000008
【図７】
2018008519.tif 000009
【図８】
2018008519.tif 000010
【図９】
2018008519.tif 000011
【図１０】
2018008519.tif 000012
【図１１】
2018008519.tif 000013
【図１２】
2018008519.tif 000014
【図１３】
2018008519.tif 000015
【図１４】
2018008519.tif 000016